(57)【要約】【課題】  磁気的隙間の増大によるモータの性能低下あるいは渦電流による損失の増大を防ぎ、遠心力による強度に強いモータの回転子構造を提供する。【解決手段】  モータの回転子において、分割磁石１の軸方向における両側の端面に段差部１ｃ、１ｄが設けられ、該段差部１ｃ、１ｄは該磁石１の軸方向の内部に向かって形成されるリング状の溝形状を有しており、該段差部１ｃ、１ｄに保持部材３ｃ、３ｄを嵌合することで、確実に磁石の飛散を防止することができる。【選択図】    図３
2005117760.tif 000002
【特許請求の範囲】
【請求項１】
回転軸と、前記回転軸の外周に固定された複数個の磁極を有すると共に、該磁極が１極当り１個または複数個に分割された永久磁石からなる分割磁石と、を備えたモータの回転子において、
前記分割磁石の軸方向端面に設けられた段差部と、前記段差部に嵌合された回転子の外径よりも小径の保持部材を設け、該保持部材により該分割磁石の飛散を防止するようにしたことを特徴とするモータの回転子。
【請求項２】
前記段差部は該分割磁石の軸方向の内部に向かって形成されるようににリング状の溝形状を有することを特徴とする請求項１記載のモータの回転子。
【請求項３】
前記保持部品は該分割磁石の遠心力に耐えうる強度を有する樹脂、または金属からなる部材であることを特徴とする請求項１または２に記載のモータの回転子。
【発明の詳細な説明】
【技術分野】
【０００１】
本発明は、回転子に永久磁石よりなる分割磁石を有するモータの回転子の構造に関する。
【背景技術】
【０００２】
従来、永久磁石を有するモータの回転子は、磁石の磁力を高める１つの手段として、永久磁石よりなる分割磁石を個々に着磁すると共に、これらを接着により一体化してリング状の磁石となしているものが提案されている。
また、そのような分割磁石を持つ回転子では、磁石が遠心力で飛散するのを防止するために、磁石外周表面をテープ、フィルムあるいはキャン等からなる保持部材で覆ったものがある（例えば、特許文献１参照）。
図４は従来の分割磁石を有するモータの回転子の正断面図である。図４において、２１は４極で１６分割の構造をした磁石、２２は鋼製の回転軸、２３は磁石飛散防止用の保持部材である。
【特許文献１】実開平５−５５７４３号公報（第２頁、第３図）
【発明の開示】
【発明が解決しようとする課題】
【０００３】
しかしながら、従来の分割磁石の飛散防止に用いられる保持部材は、回転子の外径の外周に設けながら固定子と回転子の機械的隙間を一定量確保する必要があるが、特に樹脂製の保持部材では遠心力による強度が弱いため、保持部材の厚みが大きくなり、その結果、磁気的隙間の増大により、モータの性能が低下するという問題があった。
他方、金属製の保持部材では比較的部材の厚みを小さくすることができ、固定子と回転子の機械的隙間の増大は軽減できるが、導電性であるため、渦電流による損失が増大するという問題があった。
本発明は上記問題を解決するためになされたものであり、磁気的隙間の増大によるモータの性能低下あるいは渦電流による損失の増大を防ぎ、遠心力による強度に強いモータの回転子構造を提供することを目的とする。
【課題を解決するための手段】
【０００４】
上記問題を解決するため、請求項１に記載の発明は、回転軸と、前記回転軸の外周に固定された複数個の磁極を有すると共に、該磁極が１極当り１個または複数個に分割された永久磁石からなる分割磁石と、を備えたモータの回転子において、前記分割磁石の軸方向における両側の端面に設けられた段差部と、前記段差部に嵌合された回転子の外径よりも小径の保持部材を設け設け、該保持部材により該分割磁石の飛散を防止するようにしたことを特徴としている。
請求項２の発明は、請求項１記載のモータの回転子において、前記段差部は該分割磁石の軸方向の内部に向かって形成されるようにリング状の溝形状を有することを特徴としている。
請求項３の発明は、請求項１または２に記載のモータの回転子において、前記保持部品は分割磁石の遠心力に耐えうる強度を有する樹脂または金属からなる部材であることを特徴としている。
【発明の効果】
【０００５】
請求項１、３に記載の発明によれば、モータの回転子は、分割磁石の軸方向における両側の端面に設けられた段差部と、該段差部に嵌合された回転子の外径よりも小径の保持部材を有する構成にしたので、磁気的隙間の増大によるモータの性能低下、渦電流による損失の増大を引き起こすことなく、磁石の遠心力による飛散を防止することができる。
請求項２、３に記載の発明によれば、モータの回転子は、分割磁石の段差部が該磁石の軸方向の内部に向かって形成されるようにリング状の溝形状を有する構成にしたので、より確実に磁石の飛散を防止することができる。
【発明を実施するための最良の形態】
【０００６】
以下、本発明の実施例を図に基づいて、具体的に説明する。
【実施例１】
【０００７】
図１は本発明の第１実施例を示すモータの回転子の側断面図、図２は図１に示すモータ回転子の分解斜視図である。
図において、１は分割磁石、１ａ、１ｂは段差部、２は回転軸、３ａ、３ｂは保持部材、４ａ、４ｂは軸受、５は固定子鉄心、６は電機子巻線、Ｒは回転子、Ｓは固定子である。
本発明の特徴は以下のとおりである。
すなわち、図１に示すモータの回転子において、分割磁石１の軸方向における両側の端面に設けられた段差部１ａ、１ｂと、段差部１ａ、１ｂに嵌合された回転子Ｒの外径よりも小径の保持部材３ａ、３ｂを有し、該保持部材３ａ、３ｂにより分割磁石１の飛散を防止するようにした点である。なお、保持部材３ａ、３ｂは分割磁石の遠心力に耐えうる強度を有する樹脂、または金属からなる部材で構成されている。
次に、回転子の組立について、図２を用いて説明する。鋼製の回転軸２の外周に複数の分割磁石１を放射方向に向かって嵌合すると共に、回転軸２に嵌合された分割磁石１の軸方向端面の両側に設けた段差部１ａ、１ｂに保持部材３ａ、３ｂを嵌め込み、接着材で固定する。これにより、保持部材３ａ、３ｂは軸受４ａと４ｂ側には移動することなく、接着材の剥がれ等による個々の磁石の飛散を防止する。
本発明の第１実施例はこのような構成にしたので、磁気的隙間の増大によるモータの性能低下も渦電流による損失の増大も引き起こすことなく、磁石の遠心力による飛散を防止することができる。
【実施例２】
【０００８】
図３は本発明の第２実施例を示すモータの回転子の側断面図である。
図３にいて、１ｃ、１ｄは段差部、３ｃ、３ｄは保持部材である。
第２実施例が第１実施例と異なる点は、分割磁石１の段差部１ｃ、１ｄが該磁石１の軸方向の内部に向かって形成されるようにリング状の溝形状を有する点である。
第２実施例はこのような構成にしたので、リング状の溝形状を有する段差部１ｃ、１ｄに保持部材３ｃ、３ｄを嵌合することで、第１実施例に比べてより確実に磁石の飛散を防止することができる。
【図面の簡単な説明】
【０００９】
【図１】本発明の第１実施例を示すモータの回転子の側断面図
【図２】図１に示すモータ回転子の分解斜視図
【図３】本発明の第２実施例を示すモータの回転子の側断面図
【図４】従来の分割磁石を有するモータの回転子の正断面図
【符号の説明】
【００１０】
１  分割磁石
１ａ、１ｂ、１ｃ、１ｄ  段差部
２  回転軸
３ａ、３ｂ、３ｃ、３ｄ  保持部材
４ａ、４ｂ  軸受
５  固定子鉄心
６  電機子巻線
Ｒ  回転子
Ｓ  固定子
【図１】
2005117760.tif 000003
【図２】
2005117760.tif 000004
【図３】
2005117760.tif 000005
【図４】
2005117760.tif 000006